(57)【要約】【課題】手動によるゴルフボールの集球について、能率的な集球手段を提供すること【解決手段】上記課題を解決するため、長柄と長柄の前方先端にブラケットを介して曲面板を取り付け、長柄の中間にブラケットを介して、突っ張り材を左右に斜めに設け、突っ張り材の他端は、ブラケットを介して曲面板に取り付け、曲面板は、長柄と反対面である前方面が凹状に湾曲しており、曲面板は少なくとも左右対称に２つ以上の回転体を設けて、曲面板の下端を、地表面より上方に位置させたゴルフボール用レイキである。  回転体は、サイドローラーであっても良いし、又パイプローラーであっても良い。【選択図】図１
2010017539.tif 000002
【特許請求の範囲】
【請求項１】
長柄と長柄の前方先端にブラケットを介して曲面板を取り付け、長柄の中間にブラケットを介して、突っ張り材を左右に斜めに設け、突っ張り材の他端は、ブラケットを介して曲面板に取り付け、曲面板は、長柄と反対面である前方面が凹状に湾曲しており、曲面板は少なくとも左右対称に２つ以上の回転体を設けて、曲面板の下端を、地表面より、上方に位置させたことを特徴とするゴルフボール用レイキ。
【請求項２】
前記回転体は、サイドローラーであることを特徴とする請求項１記載のゴルフボール用レイキ。
【請求項３】
前記回転体は、パイプローラーであることを特徴とする請求項１記載のゴルフボール用レイキ。
【発明の詳細な説明】
【技術分野】
【０００１】
本発明は、ゴルフ練習場等で使用されるゴルフボールを手動により集球するためのボール用レイキに関するものである。
【背景技術】
【０００２】
従来、ゴルフ練習場では、練習場全体で、ゴルフボールを回収するための自動回収装置が盛んに開発されてきた。他方このような回収では十分でない場合も多々有り、個別的にこのようなゴルフボールを回収する装置として、特許文献１のような無人によるゴルフボール集球機なども発明された。しかしながら、小規模の練習場では人海戦術によるゴルフボールの集球も為されており、いわゆるトンボと言われるＴ字形のレイキを使用してゴルフボールの集球も行なわれるのが現状である。
【０００３】
このようなＴ字型レイキは、ゴルフ球の集球部が、長方形状の板状であり、その板状部分の中央部に直角に手押しのための棒状部が接合しているものであった。
ところがこの従来技術ではゴルフを集球する際に、ゴルフボールが集球方向に縦に連なり、隣接するゴルフボールのディンプル同士が接合することにより、隣接するボール同士がまるで歯車の結合と同じように反対の方向に回転して隣接ボールが反対方向に移動しようとし、結局押せ押せ状態になり、ボールが縦に連なり、手動で集球方向に押しても、ボールが転がらずに、不回転状態で集球方向にボールを押すことになり、手動による集球にも限界があった（図５（Ｂ）参照）。
【先行技術文献】
【特許文献】
【０００４】
【特許文献１】特開平８−１０７９５３号公報
【発明の概要】
【発明が解決しようとする課題】
【０００５】
本発明は、手動によるゴルフボールの集球について、能率的な集球手段を提供することを課題とする。
【課題を解決するための手段】
【０００６】
上記課題を解決するため、本発明の構成は、長柄と長柄の前方先端にブラケットを介して曲面板を取り付け、長柄の中間にブラケットを介して、突っ張り材を左右に斜めに設け、突っ張り材の他端は、ブラケットを介して曲面板に取り付け、曲面板は、長柄と反対面である前方面が凹状に湾曲しており、曲面板は少なくとも左右対称に２つ以上の回転体を設けて、曲面板の下端を、地表面より、上方に位置させたゴルフボール用レイキである。
【０００７】
本発明の回転体は、サイドローラーであっても良いし、又パイプローラーであっても良い。
【発明の効果】
【０００８】
本発明の請求項１記載の発明は、長柄と長柄の前方先端にブラケットを介して曲面板を取り付け、長柄の中間にブラケットを介して、突っ張り材を左右に斜めに設け、突っ張り材の他端は、ブラケットを介して曲面板に取り付け、曲面板は、長柄と反対面である前方面が凹状に湾曲しており、曲面板は少なくとも左右対称に２つ以上の回転体を設けて、曲面板の下端を、地表面より、上方に位置させたゴルフボール用レイキであるので、集球している時に、曲面板の下端が地表面に接触せず、又集球したゴルフボールが、曲面板の凹状の湾曲部分に沿って上方に移動するので、ボールが前方に縦に連なり、手動で集球方向に押しても、ボールが転がらずに、不回転状態で集球方向にボールを押すことは無い。
【０００９】
又請求項２の回転体は、サイドローラーの場合には回転部分が、全体的に大きな部分ではないので、保守が容易である。更に請求項３のパイプローラーは、レイキが凹部での沈み込みを少なくでき、曲面板の下部が地表面との接触を防止できる。
【図面の簡単な説明】
【００１０】
【図１】本発明の実施例のサイドローラを設けた平面図である（但し図２の→Ａ方向から見た図面）。
【図２】図１の右側面図である。
【図３】図１の背面図である。
【図４】図１の使用状態を示す説明図である。
【図５】（Ａ）は図１の使用状態を示す説明図であり、（Ｂ）は、従来のレイキの使用状態を示す説明図である。
【図６】本発明の第２実施例であり、パイプローラを使用した背面図である。
【図７】図６の平面図である。
【図８】図６のセンターブラケット部分を示す説明図である（なお、パイプ軸９４とパイプローラ１０２を省略している。）
【図９】図８のセンターブラケットの側面図である。
【図１０】（Ａ）は図６のサイドブラケット８６、８８付近の断面図であり、（Ｂ）は、パイプ軸９２、９４とパイプローラ１００、１０２の断面図である。
【図１１】（Ａ）は、図６のサイドカバー１０６の平面図、（Ｂ）は同右側面図である。
【図１２】本件発明の第３実施例を示す平面図である。
【図１３】図１２のサイドカバーブラケット１６２の側面図である。
【図１４】（Ａ）は、図１２の揺動アーム１４０の側面図であり、（ｂ）は、取り付けプレート１３６の側面図である。
【図１５】図１２の曲面板３０の裏面にそれぞれ揺動アーム１４０と取り付けプレート１３６が取り付けられる状態を説明する図面である。
【図１６】図１２の使用状態を示す説明図である。
【図１７】（Ａ）は揺動アーム１４０が前方で前ストッパー１５４で規制されている状態の説明図、（Ｂ）は揺動アーム１４０が後方でストッパー板１５２に前後動を規制されている状態を示す説明図である。
【図１８】本発明のゴルフボール用レイキ１０の第４実施例を示す背面図であり、自在キャスター１７２を示している。
【図１９】図１８の自在キャスター１７２の取り付け状態を示す説明図である。
【図２０】本発明のゴルフボール用レイキ１０の第５実施例を示す背面図であり、長ローラ１８２を示している。
【図２１】図２０の長ローラ１８２の取り付け状態を示す説明図である。
【図２２】（Ａ）はサイドカバーブラケット１９２の側面図であり、（Ｂ）は平面図である。
【発明を実施するための形態】
【００１１】
図１は、本発明のゴルフボール用レイキ１０の第１実施例を示す平面図である。ゴルフボール用レイキ１０は、丸棒状の長柄２０と長柄２０の前方先端に先端ブラケット４０を介して取り付けられる曲面板３０から構成されており、長柄２０と曲面板３０とは平面視でＴ字状になっている。曲面板３０は、長柄２０の取り付けられる面の裏面、即ち前方面が凹状に湾曲しており（図２参照）、長柄２０の端を持って曲面板３０により、ゴルフボールを押すときに、ゴルフボールを曲面板に沿って上方に移動することを意図して湾曲させているのである。長柄２０は使用者が両手で握るために、断面円形の丸味をつけており、長柄２０の曲面板３０に近い部分は、長柄ブラケット４２を介して、突っ張り材２２、２４が斜めに左右に斜めに設けられ、突っ張り材２２、２４の他端は、サイドブラケット４４、４６を介して曲面板３０に取り付けられている。突っ張り材２２、２４は、長柄２０と曲面板３０との取り付け状態を補強するためのものである。
【００１２】
長柄等の形状は必ずしも上記の実施例に限定されない。又ゴルフボール用レイキ１０の材質は、ＦＲＰ（Fiber  Reinforced  Plastics）のような軽量材料を使用すると好適である。
【００１３】
曲面板３０には、左右に２つのサイドローラ５０、５２と中央にセンターローラ６０が設けられている。２つのサイドローラ５０、５２は、曲面板３０の両端部付近であって、曲面板３０の前面側に補強曲板５４、５６を設けて、補強曲板５４、５６を介して、車輪固定枠５８、５９を固設し、この車輪固定枠５８、５９に２つのサイドローラ５０、５２を固定して、曲面板３０を左右均等に保持する。このように２つのサイドローラ５０、５２は、曲面板３０の湾曲面より前方に設けられている。
【００１４】
なおサイドローラ５０、５２の下端は、曲面板３０の下端のＵ字カバー３２より下方に設けられ、これにより曲面板３０はＧＬ（グランドレベル）より上方に位置している。そして、サイドローラ５０、５２が曲面板３０の湾曲面より前方に位置しているので、ＧＬに散逸しているゴルフボールを集球することが出来るのである。
【００１５】
図２、図３に示すようにセンターローラ６０は長柄２０の前方先端の先端ブラケット４０付近でかつ、長柄２０の下方に設けられている。センターローラ６０は、センターローラ取り付けブラケット６２とそのセンターローラ取り付けブラケット６２に取り付けた取り付け軸６４により、長柄２０の左右に２個のローラを設けている。
【００１６】
センターローラ６０の取り付け位置は、図４に示すように通常の使用位置（ア）では、サイドローラ５０、５２がＧＬに設地しており、曲面板３０の下端のＵ字カバー３２は、サイドローラ５０、５２のＧＬ設地位置より、上方に位置している（図中アＡ）、そして、センターローラ６０の中心であるアＢは、前記Ｕ字カバー３２より、上方にあり、センターローラ６０の下端は、Ｕ字カバー３２の下端とほぼ同じ位置に設けられている。
【００１７】
長柄２０を前記通常使用位置より下げ、使用位置（イ）にすれば、センターローラ６０は、ＧＬに設地する。この時センターローラ６０の中心はイＢであり、Ｕ字カバー３２の先端はイＡである。このセンターローラ６０がＧＬに接する位置がＵ字カバー３２の先端の最下端位置であり、この構成により曲面板３０のＵ字カバー３２の下がり過ぎて地面に接触することを防止できる。
【００１８】
また、曲面板３０の中央部が周辺部に比較して、凹んでいる時には、地面との高低差が大きくなり、ゴルフゴールが上方に競りあがりにくくなる。この場合長柄２０を下ろして、ＧＬの凹部に対応できる。
【００１９】
逆に、曲面板３０の中央部が周辺部に比較して、凸部である場合には、長柄２０の使用位置を高くする事で、凸部に対応できる。
図５（Ａ）は、本件発明の曲面板３０を使用して、ゴルフボールを集球する状態を説明したものであり、ゴルフボールは、長柄を押すことにより、一番下段で曲面板に接しているボールが、上にせり上がり、徐々に二段、三段になる様子を模式的に表現した図面である。なお図５（Ｂ）は、従来のボールレーキを使用した場合を説明した図面であり、ゴルフボールは、外周に設けてあるディンプルにより、まるで歯車を使用した時のように隣接したゴルフボールが反対の向きに回転し、ゴルフボールが移動しなくなる様子を説明したものである。このような状態からは、ゴルフボールは、レイキを押した時に、ゴルフボールが相互に回転をしないので、結局押せ押せ状態になり、ボールが縦に連なり、手動で集球方向に押しても、ボールが転がらずに、不回転状態で集球方向にボールを押すことになり、力の必要な作業になっており、手動による集球にも限界があった（図１０（Ｂ）参照）。
図６乃至図１１は、本発明のゴルフボールレイキの第２実施例を示すものであり、サイドローラ５０、５２とセンターローラ６０の代わりに、パイプローラとそりを使用した実施例であり、天然芝上のゴルフボールの集球に効果がある。
【００２０】
図６はその背面図であり（図７は平面図）、ゴルフボール用レイキ７０は、丸棒状の長柄７２と長柄７２の前方先端にセンターブラケット７４及び曲面座７６を介して取り付けられる曲面板７８から構成されており、長柄７２と曲面板７８とは平面視でＴ字状になっている。曲面板７８は、長柄７２の取り付けられる面の裏面、即ち前方面が凹状に湾曲しており（図９参照）、長柄７２の端を持って曲面板７８により、ゴルフボールを押すときに、ゴルフボールを曲面板に沿って上方に移動することを意図して湾曲させているのである（図５（Ａ）参照）。長柄７２は使用者が両手で握るために、断面円形の丸味をつけており、長柄７２の曲面板７８に近い部分は、長柄ブラケット８０を介して、突っ張り材８２、８４が左右に斜めに設けられ、突っ張り材８２、８４の他端は、サイドブラケット８６、８８と曲面座８７、８９を介して曲面板７８に取り付けられている。突っ張り材８２、８４は、長柄７２と曲面板７８との取り付け状態を補強するためのものである。
【００２１】
図８に示すように、センターブラケット７４には、下部に挿入軸９０が嵌装固定されており、挿入軸９０は、左右には、パイプ軸９２、９４が取り付けネジ９６、９８を介して、環装固定されている。パイプ軸９２、９４の周囲には、パイプローラ１００、１０２が、環装遊嵌されている。なお、９１はパイプローラ１００とセンターブラケット７４の間隔をとるための軸カラーである。
【００２２】
なお、各パイプローラ１００、１０２は、サイドブラケット８６、８８を装着するために分断されているが、パイプ軸９２、９４は、更にサイドブラケット８６、８８の外側端部付近まで延設されて、各パイプローラ１００'、１０２'も外側端部付近までの部分に環装遊嵌されている。
【００２３】
なおこのように地表面（天然芝）との接地面積をパイプローラにより大きく取ったので、レイキが凹部での沈み込みを少なくでき、曲面板の下部が地表面との接触を防止できるようにしたものである。
【００２４】
図１１は、サイドカバー１０６とパイプ軸９４の取り付け関係を示した図面である。ここから分かる様に、各パイプローラ１００'、１０２'の更に外側の端部に、それぞれ、サイドカバー１０４、１０６が各パイプ軸９２、９４にネジ止めされており、サイドカバー１０４、１０６は、横長で先端が幅狭の形状になっている。
【００２５】
又、センターブラケット７４、サイドブラケット８６、８８の前方の下部先端には、そり１０８、１１０、１１２が設けられており、そりは、前方に向って上方に屈曲している（図９参照）。なお、そり１０８を設けた目的は、長柄７２を上下に回動する場合に、曲面板７８の下端であるＵ字カバー７９が地表面や芝生面に食い込まないようにする為である。
【００２６】
図１２は、本発明のゴルフボール用レイキ１０の第３実施例を示す平面図である。この実施例では、長ローラを５つ設け、左右の２つのサイド長ローラ１３４は、上下動するが、中心のセンター長ローラ１３２は固定されており、ゴルフ練習場の地面の傾斜に対応できるように構成されている。また曲面板３０の両側端には、カバーリング１６４を嵌装したサイドカバーブラケット１６２が横長に設けられており、先端が幅狭の形状になっており、集球作業中にゴルフボールを誘導するためのものである。他の部分は第１実施例と変わらない。
【００２７】
図１４から図１６に図示したように長ローラ１３２は、取り付けプレート１３６の先端に軸支されて回転自在であり、取り付けプレート１３６は、曲面板３０の裏面で、ブラケット１３８にボルトにより固定されている。他方上下動可能なサイド長ローラ１３４は、揺動アーム１４０の軸１４２に軸支されて回転自在であり、揺動アーム１４０は軸１４２とは反対側に中空の嵌入管１４４が設けられ、連結ピン１４６を嵌入管１４４に嵌装し、連結ピン１４６をブラケット１４８の支持穴１５０に嵌装することで、揺動アーム１４０を嵌入管１４４の部分で軸支している。これにより、揺動アーム１４０は、嵌入管１４４の部分を中心として前後動可能であり、揺動アーム１４０は、前方で前ストッパー１５４、後方でストッパー板１５２に前後動を規制されている。揺動アーム１４０の軸１４２は、左右２つのサイド長ローラ１３４の中心が両軸になっており、両端の軸１４２は、片軸になっている。
【００２８】
図１４（ａ）は、揺動アーム１４０が前方に移動し、前ストッパー１５４に押接した状態を示しており、図１４（ｂ）は、取り付けプレート１３６にセンター長ローラ１３２が軸支されている状態を示している。図１５は、その取り付け状態を説明的に示した図面であり、図１６は、向かって右のサイド長ローラ１３４は、上方に移動しており、向かって左側のサイド長ローラ１３４は、下方に移動した状態を示している。
【００２９】
図１７（ａ）は揺動アーム１４０が前方で前ストッパー１５４により、前方動を規制されている状態を示しており、図１７（ｂ）は揺動アーム１４０が後方でストッパー板１５２に後方動を規制されている状態を示している。図１７（ａ）は、図１６の向かって右側のサイド長ローラ１３４の状態であり、図１７（ｂ）は、図１６の向かって左側のサイド長ローラ１３４の状態である。図１７（ｂ）に示しているように、揺動アーム１４０の中空の嵌入管１４４を中心とする回転運動により、←→で示したような落差が、図１７（ａ）の状態と図１７（ｂ）の状態で起きている。図１７（ａ）の状態は、センター長ローラ１３２より、高い地面に対応し、図１７（ｂ）の状態は、センター長ローラ１３２より、低い地面に対応する。いずれにしてもこのような構成をとれば、いろいろな斜面の状態に対応可能であり、サイド長ローラ１３４が上下動していることが分かる。
【００３０】
このように、図１２の第３実施例では、長ローラを５つ設け、左右の２つのサイド長ローラ１３４は、上下動するが、中心のセンター長ローラ１３２は固定されており、これにより、センターの地面を中心にして両サイドの地面の高低に対応しているが、この実施例に限定されず、両サイド長ローラを固定としセンター長ローラ１３２を上下動方式とする実施例も本件発明の範囲に含まれるものである。
【００３１】
図１３は、曲面板３０の両側端のカバーリング１６４を嵌装したサイドカバーブラケット１６２が横長に設けられており、先端が幅狭の形状になっている状態を示している。カバーリング１６４は、サイドカバーブラケット１６２の回転軸１６６を中心として回転可能であり、１６８は、カバーリング１６４のストッパであり、カバーリング１６４が下降して地面に設地しないように構成されている。
【００３２】
ゴルフボール用レイキ１０を格納時は長柄２０等を壁に立てかける作業を行うが、この時に、ゴルフボール用レイキ１０はカバーリング１６４のストッパ１６８の部分で地面に接地し、カバーリング１６４は上方に回転する。そして、カバーリング１６４を更に上方に回転させる動作を行った時に、曲面板３０の上端に押接させると回動が規制され、カバーリング１６４'の立設方向は、長柄２０等の軸心方向と合致するので、ゴルフボール用レイキ１０も安定して壁などに立てかけられる。
【００３３】
図１８、図１９は、本発明のゴルフボール用レイキ１０の第４実施例を示す背面図である。第３実施例の長ローラに変えて、自在キャスター１７２を曲面板３０の裏面に取り付けたキャスターブラケット１７４のボルト穴１７６に固定することにより、回転自在に設けられており、キャスターの特性を生かして、移動方向が自在になっている。自在キャスター１７２は、第４実施例では、曲面板３０の左右に設けられている。
【００３４】
なお、キャスターブラケット１７４は、突っ張り材２２、２４の取り付けも兼ねている。
図２０、図２１は、本発明のゴルフボール用レイキ１０の第５実施例を示す背面図である。第４実施例の自在キャスター１７２に変えて、長ローラ１８２を設けたものである。長ローラ１８２は、軸受プレート１８４に軸支され、軸受プレート１８４は、曲面板３０の裏面に取り付けたコの字型ブラケット１８６の外面にボルト穴１８８で固定されている。
【００３５】
なお、コの字型ブラケット１８６は、突っ張り材２２、２４の取り付けも兼ねている。又軸受プレート１８４のボルト穴１８８は、上下方向に楕円の長穴になっているので、長ローラ１８２の取り付け高さを調整することが可能である。
【００３６】
図２２（Ａ）（Ｂ）は、図１３のサイドカバーブラケットの変形実施例を示すものであり、サイドカバーブラケット１９２は、その先端に回動軸１９４を設け、この回動軸１９４は、サイドローラ１９６を設けている。また回転軸１９４は、それを中心として回動するブラケット１９８を設け、このブラケット１９８はカバーリング２００を嵌装している。
【００３７】
そして、サイドカバーブラケット１９２には、ストッパーピン２０２が設けられ、回動軸１９４を中心として、ブラケット１９８及びカバーリング２００が下方に回動した場合、ブラケット１９８のストッパー板２０４がストッパーピン２０２に押接して、その回動の規制をしている。
【００３８】
他方、ブラケット１９８及びカバーリング２００が上方に回動することにより、カバーリング２００が曲面板３０の上端に押接させると回動が規制され、カバーリング２００の立設方向は、ゴルフボール用レイキ１０の丸棒状長柄２０等の軸心方向と合致するので、ゴルフボール用レイキ１０も安定して壁などに立てかけて収納出来る。
【００３９】
なお、図２２は、他の実施例と組み合わせることも可能であるし、他のローラを設けず単独でサイドローラ１９６を曲面板３０の左右に設けることも可能である。
本発明は以上の実施例に限定されず、発明の思想に合致したものであれば、本発明の範囲に含まれるものである。
【符号の説明】
【００４０】
ＧＬ  グランドレベル
１０  ゴルフボール用レイキ
２０  長柄
２２、２４  突っ張り材
３０  曲面板
３２  Ｕ字カバー
４０  先端ブラケット
４２  長柄ブラケット
４４、４６  サイドブラケット
５０、５２  サイドローラ
５４、５６  補強曲板
５８、５９  車輪固定枠
６０  センターローラ
６２  センターローラ取り付けブラケット
６４  取り付け軸
７０  ゴルフボール用レイキ７０
７２  長柄７２
７４  センターブラケット
７６  曲面座
７８  曲面板
７９  Ｕ字カバー
８０  長柄ブラケット
８２、８４  突っ張り材
８６、８８  サイドブラケット
８７、８９  曲面座
９０  挿入軸
９１  軸カラー
９２、９４  パイプ軸
９６、９８  取り付けネジ
１００、１００'、１０２、１０２'パイプローラ
１０４、１０６  サイドカバー
１０８、１１０、１１２  そり
１３２  センター長ローラ
１３４  サイド長ローラ
１３６  取り付けプレート
１４０  揺動アーム
１５２  ストッパー板
１５４  前ストッパー
１６２  サイドカバーブラケット
１６４  カバーリング
１７２  自在キャスター
１８２  長ローラ
１９２  サイドカバーブラケット
２００  カバーリング
【図１】
2010017539.tif 000003
【図２】
2010017539.tif 000004
【図３】
2010017539.tif 000005
【図４】
2010017539.tif 000006
【図５】
2010017539.tif 000007
【図６】
2010017539.tif 000008
【図７】
2010017539.tif 000009
【図８】
2010017539.tif 000010
【図９】
2010017539.tif 000011
【図１０】
2010017539.tif 000012
【図１１】
2010017539.tif 000013
【図１２】
2010017539.tif 000014
【図１３】
2010017539.tif 000015
【図１４】
2010017539.tif 000016
【図１５】
2010017539.tif 000017
【図１６】
2010017539.tif 000018
【図１７】
2010017539.tif 000019
【図１８】
2010017539.tif 000020
【図１９】
2010017539.tif 000021
【図２０】
2010017539.tif 000022
【図２１】
2010017539.tif 000023
【図２２】
2010017539.tif 000024